(57)【要約】【課題】化粧用ブラシの穂先部分を保護すると同時に整形し、化粧用ブラシ保護カバーの着脱の際にも穂先部分を傷めず、化粧用ブラシの品質を保つ。【解決手段】化粧用ブラシの穂先部を保護する化粧用ブラシ保護カバーであって、伸縮性を有する編地からなる両端開口の筒状体で、前記両端開口縁にフリル状に端始末処理を行ったフリル部を備え、前記筒状体の軸線方向の長さは前記化粧ブラシの少なくとも穂先部の全体を覆うことが可能な長さとし、かつ、軸直角方向への伸長時には前記穂先部の外周径よりも大とすると共に非伸長時の内周径は前記穂先部の外周径よりも小として、該筒状体内で挿入保持されている間に前記穂先部を集束方向に整形する。【選択図】図１
2007268100.tif 000002
【特許請求の範囲】
【請求項１】
化粧用ブラシの穂先部を保護する化粧用ブラシ保護カバーであって、
伸縮性を有する編地からなる両端開口の筒状体で、前記両端開口縁にフリル状に端始末処理を行ったフリル部を備え、
前記筒状体の軸線方向の長さは前記化粧ブラシの少なくとも穂先部の全体を覆うことが可能な長さとし、かつ、軸直角方向への伸長時には前記穂先部の外周径よりも大とすると共に非伸長時の内周径は前記穂先部の外周径よりも小として、該筒状体内で挿入保持されている間に前記穂先部を集束方向に整形できる構成としていることを特徴とする化粧用ブラシ保護カバー。
【請求項２】
前記編地の伸縮率が１５０％〜７００％である請求項１に記載の化粧用ブラシ保護カバー。
【請求項３】
前記筒状体は、化粧用ブラシの軸部先端側から被せて穂先部へと移動させて取り付けらえると共に、穂先部側へと移動させて取り外されるものである請求項１に記載の化粧用ブラシ保護カバー。
【請求項４】
前記編地は丸編み機で編成された縦リブ編みとする請求項１乃至請求項３に記載の化粧用ブラシ保護カバー。
【請求項５】
請求項１乃至請求項４に記載の化粧用ブラシ保護カバーが取り付けられた化粧用保護カバー付化粧用ブラシ。
【発明の詳細な説明】
【技術分野】
【０００１】
本発明は化粧用ブラシ保護カバーに関し、詳しくは、化粧用ブラシ先端の穂先部を保護すると同時に整形し、化粧用ブラシの穂先部分の品質を保つものである。
【背景技術】
【０００２】
化粧用ブラシの穂先部分が損傷あるいは形状が変化してしまうと、穂先部分の品質が悪化し、本来の性能を発揮できなくなるため、形状や品質を保った状態で保管する必要がある。特に穂先部分が動物の毛で形成されている場合には、汚れや埃が付着することによって穂先部分の毛質が悪化してしまう恐れがある。このため、化粧用ブラシの保管時にはキャップやカバー等で穂先部分を保護することが望まれる。
【０００３】
従来より、特開平２００５−９６７７３号公報（特許文献１）では、図５に示すように、筆や化粧用筆等の刷毛類１の穂先１ａを傷めることなく保管できるフィルム製咬合具付袋体２が提供されている。咬合具付袋体２の上端部および下端部には開口を有する咬合具２ａ、２ｂを設けており、刷毛類１を収納する場合は、上端部の咬合具２ａを開いた状態で刷毛類１の軸部１ｂから挿入し、刷毛類１を取り出す場合は、下端部の咬合具２ｂを開いた状態で刷毛類１の軸部１ｂから取り出す。
【０００４】
しかしながら、上記構成では、咬合具付袋体２に刷毛類１を挿入あるいは取り出す際に、咬合具付袋体２の内面に刷毛類１の穂先１ａが接触してしまい、柔い刷毛類１の穂先１ａが合成樹脂製のフィルムによって傷つけられてしまう。さらに、刷毛類１が上下移動すると、刷毛類１の穂先１ａが逆向け状態となり、穂先１ａを痛めてしまうと共に形状を変形させ、品質を悪化させてしまう恐れがある。
また、刷毛類１全体を咬合具付袋体２に収納しなければならず、保管スペースをとってしまい、化粧ポーチ等で携帯するにも不便である。
【０００５】
また、特開２００５−２７９９５号公報（特許文献２）では、図６に示すように、化粧筆付き化粧料容器３が提供されている。前記化粧筆付き化粧料容器３の第１キャップ５は化粧筆４と、第２キャップ６と嵌合する嵌合部５ａとを備え、第１キャップ５に第２キャップ６を取り付けることで、第２キャップ６が化粧筆４を覆い、不使用時に化粧筆４の先端に設けられている筆毛４ａが傷むことを防止する。
しかしながら、上記構成では、筆毛４ａが長い化粧筆４の場合、第２キャップ６を化粧筆４上方から取り付ける際に、第１キャップ５と第２キャップ６の嵌合部５ａに化粧筆４の筆毛４ａを挟むことにより筆毛４ａを損傷してしまい、化粧筆４の品質を悪化させてしまう。
【０００６】
【特許文献１】特開２００５−９６７７３号公報
【特許文献２】特開２００５−２７９９５号公報
【発明の開示】
【発明が解決しようとする課題】
【０００７】
本発明は、前記問題に鑑みてなされたものであり、化粧用ブラシの穂先部分を保護すると同時に整形し、化粧用ブラシ保護カバーの着脱の際にも穂先部分を傷めず、化粧用ブラシの品質を保つことを課題としている。
【課題を解決するための手段】
【０００８】
前記課題を解決するために、本発明は、化粧用ブラシの穂先部を保護する化粧用ブラシ保護カバーであって、
伸縮性を有する編地からなる両端開口の筒状体で、前記両端開口縁にフリル状に端始末処理を行ったフリル部を備え、
前記筒状体の軸線方向の長さは前記化粧ブラシの少なくとも穂先部の全体を覆うことが可能な長さとし、かつ、軸直角方向への伸長時には前記穂先部の外周径よりも大とすると共に非伸長時の内周径は前記穂先部の外周径よりも小として、該筒状体内で挿入保持されている間に前記穂先部を集束方向に整形できる構成としていることを特徴とする化粧用ブラシ保護カバーを提供している。
【０００９】
前記構成とすると、化粧用ブラシを保管する際に、化粧用ブラシの穂先部を汚れや埃から守ることができると共に、筒状体内で挿入保持されている間に前記穂先部が集束方向に整形されるので、穂先部の形状を美しく保つことができ、穂先部の品質を保持することができる。さらに、化粧ポーチに収納して携帯する場合には、ファスナーに穂先部を挟むことなく収納することができる。
化粧料等で化粧用ブラシ保護カバーが汚れても、伸縮性の生地あるいは編地で形成されているので、汚れる度に洗濯することができ、化粧用ブラシ保護カバーを清潔に保つことができる。
【００１０】
前記編地の伸縮率が１５０％〜７００％であるのが好ましい。
前記構成とすると、アイシャドウ用ブラシやチーク用ブラシ等の様々な大きさの化粧用ブラシに対応することができ、実用性が高い。伸縮率が１５０％未満となると、チークブラシ等の大きな化粧用ブラシに対応することができず、伸縮率が７００％以上であると化粧用ブラシに取り付けたときの収束方向への力が強すぎるので、穂先部を痛めてしまう。
【００１１】
前記筒状体は、化粧用ブラシの軸部先端側から被せて穂先部へと移動させて取り付けらえると共に、穂先部側へと移動させて取り外されることが好ましい。
前記構成とすると、化粧用ブラシ保護カバーを着脱する際に、穂先部の発毛方向にのみ化粧用ブラシ保護カバーを移動させるので穂先部が逆向け状態とならず、穂先部の毛先が傷付かないので、化粧用ブラシの品質を保つことができる。
【００１２】
前記編地は丸編み機で編成された縦リブ編みとするのが好ましい。
前記構成とすると、丸編み機で編成するため縫製の工程が必要なく、生産性を高めることができる。
また、本発明は、前記化粧用ブラシ保護カバーが取り付けられた化粧用保護カバー付化粧用ブラシを提供している。
【発明の効果】
【００１３】
前記構成とすると、化粧用ブラシを保管する際に、化粧用ブラシの穂先部を汚れや埃から守ることができると共に、筒状体内で挿入保持されている間に前記穂先部が集束方向に整形されるので、穂先部の形状を美しく保つことができ、穂先部の品質を保持することができる。さらに、化粧ポーチに収納して携帯する場合には、ファスナーに穂先部を挟むことなく収納することができる。
また、化粧料等で化粧用ブラシ保護カバーが汚れても、伸縮性の生地あるいは編地で形成されているので、汚れる度に洗濯することができ、化粧用ブラシ保護カバーを清潔に保つことができる。
【発明を実施するための最良の形態】
【００１４】
以下、本発明の実施形態を図１乃至図４に示し、本発明の化粧用ブラシ保護カバーである筒状体１０は化粧用ブラシ２０の穂先部２０ａに装着される。
前記筒状体１０が取り付けられる化粧用ブラシ２０は、図２に示すように、手で把持する棒状の軸部２０ｂと、軸部２０ｂに固定されている口金部２０ｃと、口金部２０ｃから突出する穂先部２０ａとを備えている。前記穂先部２０ａは化粧料を付着させて肌に塗布する部分であり、図２に示すように、該穂先部２０ａの軸線方向の長さをＬ１とすると共に最大外周径をＷ１とする。
【００１５】
前記筒状体１０は、図３（Ａ）〜（Ｃ）に示すように、両端開口１０ａ、１０ａを備える筒状体１０とし、該筒状体１０は伸縮性を有する編地からなり、該編地は丸編み機によって縦リブ編に編成される。前記筒状体１０の両端開口縁１０ｂ、１０ｂはフリル部１０ｃとし、フリル状に端始末処理を行っている。
前記端始末処理は２本針で針糸２本、下糸（ルーパー糸）１本のオーバーロックミシン（図示せず）で処理されており、運針調整用リングは３０×２４のものを使用して縫い目を細かくしている。使用する糸はウーリーナイロンで太さ１００デニールの双糸とする。
【００１６】
前記筒状体１０の中央部分を整形部１０ｄとし、該整形部１０ｄの内周径Ｗ２は前記フリル部１０ｃの内周径Ｗ３よりも小としている。また、非伸長時の内周径Ｗ２は化粧用ブラシ２０の穂先部２０ａの外周径Ｗ１よりも小としていると共に、軸直角方向への伸長時の内周径Ｗ２’は、前記化粧用ブラシ２０の穂先部２０ａ分の外周径Ｗ１よりも大としている。
筒状体１０の軸線方向の長さＬ２は、穂先部２０ａの軸線方向の長さＬ１より大とし、少なくとも穂先部２０ａ全体を覆うことが可能な長さとしている。筒状体１０の前記整形部１０ｄの軸直角方向の伸縮率（＝Ｗ２’/Ｗ２）は６００％とする。
【００１７】
前記筒状体１０を前記化粧用ブラシ２０に取り付けると、図１に示すように、筒状体１０の整形部１０ｄが伸長した状態で、化粧用ブラシ２０の穂先部２０ａに被せられているので、筒状体１０の整形部１０ｄ内で穂先部２０ａが挿入保持されている間に、整形部１０ｄが前記穂先部２０ａを収束方向に整形している。
【００１８】
次に、化粧用ブラシ２０に前記筒状体１０を取り付ける手順を説明する。
図４（Ａ）に示すように、筒状体１０の一方の開口縁１０ｂを化粧用ブラシ２０の軸部先端２０ｄ側に被せ、該筒状体１０を穂先部２０ａへと矢印方向に移動させる。前記筒状体１０を穂先部２０ａまで移動させると、図４（Ｂ）に示すように、筒状体１０が伸長した状態で化粧用ブラシ２０の穂先部２０ａに取り付けられる。
筒状体１０を取り外す際は、図４（Ｃ）に示すように、穂先部２０ａ側へと矢印方向に筒状体１０を移動させ、筒状体１０の他方の開口縁１０ｂから穂先部２０ａを抜き、化粧用ブラシ２０から筒状体１０を取り外す。
【００１９】
前記構成とすると、化粧用ブラシ２０を保管する際に、化粧用ブラシ２０の穂先部２０ａを汚れや埃から守ることができると共に、筒状体１０内で挿入保持されている間に前記穂先部２０ａが集束方向に整形されるので、穂先部２０ａの形状を美しく保つことができ、穂先部２０ａの品質を保持することができる。
また、筒状体１０が編地から編成されているので、アイシャドウ用ブラシやチーク用ブラシ等の様々な大きさの化粧用ブラシ２０に対応することができ、実用性が高い。
さらに、筒状体１０を着脱する際に、穂先部２０ａの発毛方向にのみ筒状体１０を移動させるので、穂先部２０ａが逆向け状態とならず、穂先部２０ａの毛先が傷付かないので、化粧用ブラシ２０の品質を保つことができる。
【図面の簡単な説明】
【００２０】
【図１】本発明の筒状体を化粧用ブラシに装着した正面図である。
【図２】図１に係る化粧用ブラシの正面図である。
【図３】図１に係る筒状体を示す図であり、（Ａ）は斜視図であり、（Ｂ）は正面図であり、（Ｃ）は伸長した状態の正面図である。
【図４】筒状体の取り付けから取り外しまでの手順を示す図であり、（Ａ）は筒状体を取り付ける際の正面図を示し、（Ｂ）は筒状体を装着した状態の正面図であり、（Ｃ）は筒状体を取り外す際の正面図を示す。
【図５】従来例を示す図である。
【図６】他の従来例を示す図である。
【符号の説明】
【００２１】
１０  筒状体
１０ａ  開口
１０ｂ  両端開口縁
１０ｃ  フリル部
１０ｄ  整形部
２０  化粧用ブラシ
２０ａ  穂先部
２０ｂ  軸部
２０ｃ  口金部
【図１】
2007268100.tif 000003
【図２】
2007268100.tif 000004
【図３】
2007268100.tif 000005
【図４】
2007268100.tif 000006
【図５】
2007268100.tif 000007
【図６】
2007268100.tif 000008